(57)【特許請求の範囲】
【請求項１】
画面と、
前記画面に対する操作体の接触位置を検知する接触センサーと、
前記画面上の位置と前記画面外の待機位置との間をユーザーがスライドさせることが可能であり、開口を有する入力補助具と、
前記画面のキー領域にキーを表示させ、前記開口を通して前記操作体が前記画面に接触した接触位置が、前記キーに対応する操作検知領域の内側であり、前記キー領域の外側である場合に、前記キーに対応する入力操作を受け付ける制御部と、
を備え、
前記操作検知領域は、前記制御部によって検知された前記入力補助具の位置に対応する位置に設けられる表示装置。
【請求項２】
前記制御部は、前記画面における前記キー領域を、前記入力補助具の位置に非依存の位置とする、
請求項１に記載の表示装置。
【請求項３】
前記制御部は、前記画面にて所定のキーを表示させ、該キーに対して開口を通して前記操作体が接触した接触位置に基づいて、前記操作検知領域を設定する、
請求項１又は２に記載の表示装置。
【請求項４】
前記制御部は、前記画面にて所定のキーを表示させ、該キー領域よりも広く該キー領域を包含する有効領域を設定し、該キーに対して開口を通して前記操作体が接触した接触位置が前記有効領域の内部であることを条件に、前記操作検知領域を設定する、
請求項３に記載の表示装置。
【請求項５】
前記制御部は、前記画面にて所定のキーを表示させ、該キーに対して開口を通して前記操作体が接触した接触位置が該キー領域の中心から右にずれていた場合に、前記キー領域よりも右にずれた位置に前記操作検知領域を設定する、
請求項３または請求項４のいずれかに記載の表示装置。
【請求項６】
前記制御部は、複数のキー領域のそれぞれに別のキーを表示させ、
前記操作検知領域は、対応するキー領域と一部が重畳し、対応しないキー領域とも一部が重畳する、請求項１から請求項５のいずれかに記載の表示装置。
【発明の詳細な説明】
【技術分野】
【０００１】
本発明は、表示装置に関する。
【背景技術】
【０００２】
取り外し可能なカバー部をタッチパネル上に取り付け、カバー部に設けられたキーを押下することにより、タッチパネルを操作できるように構成された携帯端末が知られている（例えば、特許文献１）。
【先行技術文献】
【特許文献】
【０００３】
【特許文献１】特開２０１２−１６８８６９号公報
【発明の概要】
【発明が解決しようとする課題】
【０００４】
しかしながら、取り外した場合にカバー部を紛失しやすく、また容易にカバー部をタッチパネルに取り付けることができないという問題があった。
本発明は、入力補助具を紛失することなく容易に画面にセットできる技術を提供することを目的とする。
【課題を解決するための手段】
【０００５】
目的を達成するため、本発明の表示装置は、画面と、画面に対する操作体の接触位置を検知する接触センサーと、画面上の位置と画面外の待機位置との間をユーザーがスライドさせることが可能な入力補助具と、入力補助具の位置を検知する検知部と、画面にてキー表示を行わせ、接触センサーが検知した操作体の接触位置が、入力補助具の位置に対応する画面上の位置である場合に、キー表示に対応する入力操作を受け付ける制御部と、を備える。なお、接触とは、厳密には接触していなくても画面の近傍に操作体が近づいたことを含めてもよい。
【０００６】
前記の構成において、ユーザーは、画面上の位置に入力補助具をスライドさせ、入力補助具の位置に対応する画面上の位置に操作体を接触させることにより、キー表示に対応する入力操作を行うことができる。一方、キー表示に対応する入力操作を行わない場合に、ユーザーは、画面外の待機位置に入力補助具をスライドさせることにより、入力補助具に妨げられることなく画面を視認できる。入力補助具がスライド可能であるため、入力補助具を紛失することなく画面上の位置に容易にセットすることができる。さらに、キー表示に対応する入力操作を受け付ける画面上の接触位置を、検知部が検知した入力補助具の位置に対応した位置とするため、入力補助具をスライドさせる位置をユーザーが正確に調整しなくてもよい。ここで、スライドするとは、画面に対して平行またはほぼ平行な方向に入力補助具が移動することであり、当該移動は画面と平行な面内における直線移動や回転移動や種々の曲線移動であってもよい。
【０００７】
また、制御部は、画面におけるキー表示の位置を、検知部が検知した入力補助具の位置に非依存の位置としてもよい。すなわち、入力操作を受け付ける操作体の接触位置を、検知部が検知した入力補助具の位置に依存させる一方で、画面上におけるキー表示の位置を、検知部が検知した入力補助具の位置に依存させないようにしてもよい。これにより、画面におけるキー表示の位置を一定に保つことができ、キー表示を視認しやすくすることができる。ここで、入力補助具に遮蔽されて画面の一部が視認できない場合に、入力補助具に遮蔽されることなくキー表示が視認しやすくなる位置にユーザーが入力補助具をスライドさせると考えられる。このように、折角、キー表示が視認しやすくなる位置にユーザーが入力補助具をスライドさせたにも拘わらず、実際の入力補助具の位置に依存してキー表示の位置を移動させることにより、キー表示が視認し難くなることを防止できる。
【０００８】
さらに、検知部は、接触センサーが検知した操作体の接触位置に基づいて入力補助具の位置を検知してもよい。接触センサーによって入力補助具の位置を検知できるため、入力補助具の位置を検知するための検知器を個別に設けなくても済む。
【０００９】
さらに、入力補助具には画面に接触する位置検知機構が設けられ、検知部は、接触センサーが検知した位置検知機構の接触位置に基づいて入力補助具の位置を検知してもよい。この構成においても、接触センサーによって入力補助具の位置を検知できるため、入力補助具の位置を検知するための検知器を個別に設けなくても済む。
【００１０】
さらに、検知部は、入力補助具の位置を検知する検知器の検出結果に基づいて入力補助具の位置を検知してもよい。すなわち、入力補助具の位置を必ずしも接触センサーによって検知しなくてもよく、接触センサー以外のセンサーによって検知してもよい。
【００１１】
また、検知器は、スライドする際に入力補助具が摺動するレールに設けられていてもよい。このように、入力補助具が摺動するレールに検知器を設けることにより、入力補助具が摺動している位置を正確に検知できる。
【図面の簡単な説明】
【００１２】
【図１】図１Ａはプリンターの斜視図、図１Ｂはプリンターのブロック図である。
【図２】図２Ａは操作部の斜視図、図２Ｂは操作部の分解斜視図である。
【図３】入力操作受付処理のフローチャートである。
【図４】図４Ａは印刷条件設定表示を示す図、図４Ｂはキー表示部と操作検知領域との関係を示す図である。
【図５】図５Ａは他の実施形態の入力補助具の側面図、図５Ｂは他の実施形態のプリンターの斜視図である。
【発明を実施するための形態】
【００１３】
以下、本発明の実施の形態を以下の順序にしたがって添付図面を参照しながら説明する。なお、各図において対応する構成要素には同一の符号が付され、重複する説明は省略される。
（１）装置構成：
（２）入力操作受付処理：
（３）他の実施形態：
【００１４】
（１）装置構成：
図１Ａは、本発明の第１実施形態にかかる表示装置を含むプリンター１の斜視図である。プリンター１は、外観上の構成として、本体筐体１０と操作部２０と給紙トレイ３０と排紙トレイ４０を備える。操作部２０は、本体筐体１０の側面（正面）に備えられている。操作部２０は、本体筐体１０の上面に備えられてもよいし、本体筐体１０に対してチルト可能に連結されてもよい。操作部２０は、タッチパネルディスプレイ２１と入力補助具２２とレール２３ａ，２３ｂとを備える。
【００１５】
タッチパネルディスプレイ２１は、画面としてのＬＣＤディスプレイと、接触センサーとしてのタッチセンサーとを含む。タッチセンサーは、ＬＣＤディスプレイに対する操作体の接触位置を検知する。例えば、指やタッチペンの先端が操作体を構成する。プリンター１は、給紙トレイ３０にセットされた印刷媒体上に印刷を行い、印刷済みの印刷媒体を排紙トレイ４０に排出する。なお、本発明の表示装置は、必ずしもプリンター１に備えられなくてもよく、画面上にてユーザーから入力操作を受け付けるいかなる装置に含まれ得る。
【００１６】
図１Ｂは、プリンター１の機能構成を示すブロック図である。プリンター１の本体筐体１０には、制御部１１と搬送部１２と印刷部１３とが組み込まれている。制御部１１は、プロセッサーやメモリーや入出力インターフェースを備えるコンピューターである。制御部１１は、印刷プログラムを実行することにより、搬送部１２と印刷部１３と操作部２０を制御する。
【００１７】
搬送部１２は、印刷媒体を給紙トレイ３０から印刷部１３に搬送し、さらに印刷済みの印刷媒体を印刷部１３から排紙トレイ４０に搬送するためのハードウェアであり、制御部１１によって制御される。具体的に、搬送部１２は、ピックアップローラー等の搬送ローラーと、当該搬送ローラーを駆動させるための駆動モーターと、当該駆動モーターを制御するための制御回路等を含む。
【００１８】
印刷部１３は、印刷媒体に印刷を行うためのハードウェアであり、制御部１１によって制御される。具体的に、制御部１１は、印刷ヘッドと、印刷ヘッドを駆動する駆動モーターと、当該印刷ヘッドや駆動モーターを制御するための制御回路等を含む。
【００１９】
図２Ａは操作部２０の斜視図である。同図に示すように、タッチパネルディスプレイ２１は矩形状であり、当該タッチパネルディスプレイ２１の上下の辺のそれぞれに沿って直線状のレール２３ａ，２３ｂが設けられている。入力補助具２２の縦方向の長さＨはタッチパネルディスプレイ２１の縦方向の長さＪよりも長く、横方向の幅Ｗはタッチパネルディスプレイ２１の横方向の幅Ｖよりも短い。
【００２０】
入力補助具２２は、格子部２２ａと４個の連結部２２ｂ１〜２２ｂ４とを備えている。入力補助具２２の縦方向の長さＨはタッチパネルディスプレイ２１の縦方向の長さＪよりも長くなっている。格子部２２ａにおいて、行列状（例えば、縦５行×横３列）に配列するように矩形状の開口Ｏが形成されており、格子部２２ａが直交格子状になっている。連結部２２ｂ１〜２２ｂ４は、格子部２２ａの四隅のそれぞれから上下に延びる直線状の部分であり、格子部２２ａとレール２３ａ，２３ｂとを連結する。連結部２２ｂ１〜２２ｂ４によって、格子部２２ａがタッチパネルディスプレイ２１と同等の高さに保持される。
【００２１】
上下のレール２３ａ，２３ｂは、互いに平行であり、互いに同じ長さＬを有している。レール２３ａ，２３ｂのうち、横方向においてタッチパネルディスプレイ２１と重複する部分の長さＬ１が入力補助具２２の幅Ｗよりも長く、横方向においてタッチパネルディスプレイ２１と重複しない部分の長さＬ２も入力補助具２２の幅Ｗよりも長く形成されている。入力補助具２２の縦方向の長さＨは、上下方向におけるレール２３ａ，２３ｂの間隔と同等となっている。
【００２２】
図２Ｂは操作部２０の分解斜視図である。上方のレール２３ａには下方に開口する溝Ｒａが形成され、断面がＵ字状となっている。下方のレール２３ｂは、上方のレール２３ａと上下対称の形状に形成されており、上方に開口する溝Ｒｂが形成されている。上方のレール２３ａに形成された溝Ｒａには、格子部２２ａから上方に延びる２本の連結部２２ｂ１，２２ｂ２の上端が挿入されている。一方、下方のレール２３ｂに形成された溝Ｒｂには、格子部２２ａから下方に延びる２本の連結部２２ｂ３，２２ｂ４の下端が挿入されている。レール２３ａ，２３ｂの幅方向の両端においては、溝Ｒａ，Ｒｂが形成されていない。すなわち、溝Ｒａ，Ｒｂは幅方向においては開口していない。
【００２３】
ここで、レール２３ａ，２３ｂの左端までスライドした入力補助具２２の位置を使用位置と定義し、レール２３ａ，２３ｂの右端までスライドした入力補助具２２の位置を待機位置と定義する。使用位置とは、入力補助具２２の格子部２２ａ全体がタッチパネルディスプレイ２１上となる位置である。一方、待機位置とは、入力補助具２２の格子部２２ａ全体がタッチパネルディスプレイ２１外となる位置である。
【００２４】
以上の構成により、ユーザーは、レール２３ａ，２３ｂに沿って入力補助具２２を摺動させることにより、レール２３ａ，２３ｂの長さＬの範囲内において入力補助具２２を幅方向にスライドさせることができる。すなわち、入力補助具２２は、タッチパネルディスプレイ２１上の使用位置とタッチパネルディスプレイ２１外の待機位置との間をユーザーがスライドさせることが可能となるように構成されている。レール２３ａ，２３ｂの幅方向の両端において溝Ｒａ，Ｒｂが開口していないため、レール２３ａ，２３ｂから入力補助具２２が脱落することもない。
【００２５】
（２）入力操作受付処理：
図３は、入力操作受付処理のフローチャートである。入力操作受付処理は、プリンター１が各種入力操作を受け付けるために制御部１１が実行する処理である。本実施形態では入力操作受付処理によって印刷条件を設定する一連の入力操作を受け付ける例を挙げる。まず、制御部１１は、タッチパネルディスプレイ２１に印刷条件設定表示を表示させる（ステップＳ１００）。具体的に、制御部１１は、印刷条件設定表示に対応する画像データを生成し、当該画像データをタッチパネルディスプレイ２１に出力する。
【００２６】
図４Ａは、印刷条件設定表示Ｕの例を示す。印刷条件設定表示Ｕは、キー表示部Ｕ１と設定項目表示部Ｕ２とを含む。キー表示部Ｕ１は、いわゆるテンキーを表すキー表示であり、テンキーの個々のキーに対応する画像が入力補助具２２の開口Ｏと同じ大きさと配列になるように表示されている。設定項目表示部Ｕ２には、『入力補助具をテンキーの位置にスライドさせて下さい』という旨のメッセージを示す第１通知部Ｕ２ａと、『入力補助具をスライドさせたら８番のキーを押して下さい』という旨のメッセージを示す第２通知部Ｕ２ｂとが含まれる。さらに、設定項目表示部Ｕ２には、設定項目ごとに項目部Ｕ２ｃが設けられており、項目部Ｕ２ｃは設定項目の名称を示す名称部Ｕ２ｃ１と、現在の設定内容を示す内容部Ｕ２ｃ２とが含まれる。さらに、設定項目表示部Ｕ２には、印刷開始ボタンＵ２ｄが含まれる。
【００２７】
以上の印刷条件設定表示Ｕをタッチパネルディスプレイ２１に表示させると、制御部１１は、タッチパネルディスプレイ２１上における所定の有効領域Ｙ内にて接触位置が検知されたか否かを判定する（ステップＳ１１０）。有効領域Ｙとは、キー表示部Ｕ１における８番のキー表示の領域に、当該キー表示の領域から所定距離以内（例えば１個のキー表示の辺の長さの半分）の領域を加えた領域である（図４Ａの一点鎖線の領域）。キー表示部Ｕ１上に入力補助具２２がスライドしているため、キー表示部Ｕ１における中心（３行目かつ２列目）の８番のキー表示を押すために、入力補助具２２（格子部２２ａ）の中心（３行目かつ２列目）の開口Ｏを介して指等の操作体がタッチパネルディスプレイ２１に接触することとなる。
【００２８】
有効領域Ｙ内にて接触位置が検知されない場合（ステップＳ１１０：Ｎ）、制御部１１は、引き続き有効領域Ｙ内にて接触位置が検知されたか否かを判定する。一方、有効領域Ｙ内にて接触位置が検知された場合（ステップＳ１１０：Ｙ）、制御部１１は、有効領域Ｙ内にて検知された接触位置を基準に操作検知領域を設定する（ステップＳ１２０）。ここで、入力補助具２２が移動中に接触するという一時的な接触を検知しても仕方がないので、一定時間継続して接触が検知されている位置にて接触位置が検知されたものと判断している。有効領域Ｙ内にて検知された接触位置とは、タッチセンサーが検知した入力補助具２２の中心位置を意味する。すなわち、検知部としての制御部１１は、タッチセンサーが検知した操作体の接触位置に基づいて前記入力補助具２２の中心位置Ｔを検知する。
【００２９】
図４Ｂは、キー表示部Ｕ１と操作検知領域Ｂとの関係を示す図である。操作検知領域Ｂは、キー表示部Ｕ１を構成する各キー表示に対応する操作を受け付けるためのキー領域Ｂ１によって構成され、キー領域Ｂ１の大きさと配列はキー表示部Ｕ１を構成する各キー表示と同じとなっている。ただし、キー表示部Ｕ１の中心位置Ｃ１（実線白丸）と操作検知領域Ｂの中心位置Ｃ２（破線白丸）とは一致せず、制御部１１は、ステップＳ１１０にてタッチセンサーが検知した入力補助具２２の中心位置Ｔに操作検知領域Ｂの中心位置Ｃ２が一致するように操作検知領域Ｂを設定する。以上により、入力補助具の中心位置Ｔに対応するタッチパネルディスプレイ２１上の位置に操作検知領域Ｂを設定できる。
【００３０】
なお、所定期間経過しても入力補助具２２の中心位置Ｔが検知されない場合、制御部１１は、操作検知領域Ｂの中心位置Ｃ２がキー表示部Ｕ１の中心位置Ｃ１に一致するように操作検知領域Ｂを設定してもよい。また、所定期間経過しても入力補助具２２の中心位置Ｔが検知されない場合、制御部１１は、入力補助具２２のスライドを強く促すメッセージをタッチパネルディスプレイ２１に表示させてもよい。制御部１１は、入力補助具２２の位置として必ずしも中心位置Ｔを検知しなくてもよく、入力補助具２２の端や隅の位置を検知してもよい。さらに、制御部１１は、入力補助具２２の２点以上の位置を検知してもよい。
【００３１】
操作検知領域Ｂを設定すると、制御部１１は、キー表示部Ｕ１に対する入力操作を受け付ける（ステップＳ１３０）。具体的に、設定項目表示部Ｕ２の項目部Ｕ２ｃが表示された領域にて操作体の接触位置が検知された場合、制御部１１は、当該項目部Ｕ２ｃの内容部Ｕ２ｃ２が示す設定内容を指定するための入力操作を受け付ける。すなわち、制御部１１は、接触センサーが検知した指等の操作体の接触位置が、タッチセンサーが検知した入力補助具２２の中心位置Ｔに対応するタッチパネルディスプレイ２１上の位置（操作検知領域Ｂ）である場合に、キー表示に対応する入力操作を受け付ける。この入力操作は、キー表示部Ｕ１を構成する各キー表示に対応する数字を入力する操作であってもよい。例えば、キー表示部Ｕ１を構成する各キー表示に対応する数字を入力することにより、所望の印刷部数等を指定できるように構成されてもよい。また、入力操作は、キー表示部Ｕ１を構成する８，２，４，６番のキー表示に割り当てられた上下左右のカーソル移動方向を入力する操作であってもよい。例えば、上下左右のカーソル移動によって予め用意された印刷解像度等のリストのなかから、カーソル移動によって所望の印刷解像度等を指定できるように構成されてもよい。
【００３２】
次に、制御部１１は、印刷開始指示がされたか否かを判定する（ステップＳ１４０）。具体的に、印刷開始ボタンＵ２ｄが表示された領域にて操作体の接触位置が検知された場合、制御部１１は、印刷開始指示がされたと判定する。印刷開始指示がされたと判定しなかった場合（ステップＳ１４０：Ｎ）、制御部１１は、引き続きキー表示部Ｕ１に対する入力操作を受け付ける。
【００３３】
一方、印刷開始指示がされたと判定した場合（ステップＳ１４０：Ｙ）、制御部１１は、タッチパネルディスプレイ２１に印刷ステータス表示を表示させる（ステップＳ１５０）。すなわち、制御部１１は、キー表示部Ｕ１を含む印刷条件設定表示Ｕをタッチパネルディスプレイ２１から消去するとともに、タッチパネルディスプレイ２１に印刷ステータス表示を表示させる。この印刷ステータス表示には、『入力補助具をもとの位置（待機位置）にスライドさせて下さい』というメッセージを示す部分が含まれる。なお、ステップＳ１００〜Ｓ１４０の期間において、制御部１１は、キー表示部Ｕ１を一定の位置に表示し続ける。すなわち、制御部１１は、キー表示部Ｕ１の位置を、タッチセンサーが検知した入力補助具の中心位置Ｔに非依存の位置とする。
【００３４】
前記の構成において、ユーザーは、タッチパネルディスプレイ２１上の位置に入力補助具２２をスライドさせ、入力補助具２２の位置に対応するタッチパネルディスプレイ２１上の位置に操作体を接触させることにより、キー表示に対応する入力操作を行うことができる。一方、キー表示に対応する入力操作を行わない場合に、ユーザーは、タッチパネルディスプレイ２１外の待機位置に入力補助具２２をスライドさせて、入力補助具２２に妨げられることなくタッチパネルディスプレイ２１（印刷ステータス表示等）を視認できる。入力補助具２２がスライド可能であるため、入力補助具２２を紛失することなくタッチパネルディスプレイ２１上の位置に容易にセットすることができる。さらに、キー表示に対応する入力操作を受け付けるタッチパネルディスプレイ２１上の接触位置（操作検知領域Ｂ）を、タッチセンサーが検知した入力補助具２２の中心位置Ｔに対応した位置とするため、入力補助具２２をスライドさせる位置をユーザーが正確に調整しなくてもよい。
【００３５】
また、ユーザーは必ずしもタッチパネルディスプレイ２１を正面から見ているとは限らない。そのため、制御部１１は、タッチパネルディスプレイ２１上におけるキー表示部Ｕ１の位置を、タッチセンサーが検知した入力補助具２２の位置に非依存の位置とすることにより、タッチパネルディスプレイ２１におけるキー表示部Ｕ１の位置を一定に保つことができ、キー表示部Ｕ１を視認しやすくすることができる。ここで、ユーザーが斜めからタッチパネルディスプレイ２１を見ている場合、入力補助具２２に遮蔽されてタッチパネルディスプレイ２１の一部が視認できないことがある。この場合、入力補助具２２に遮蔽されることなくキー表示部Ｕ１が視認しやすくなる位置（ユーザーの視点から開口Ｏから各キー表示を覗きやすい位置）にユーザーが入力補助具２２をスライドさせると考えられる。このように、折角、キー表示部Ｕ１が視認しやすくなる位置にユーザーが入力補助具２２をスライドさせたにも拘わらず、実際の入力補助具２２の位置に依存してキー表示部Ｕ１の位置を移動させることにより、キー表示部Ｕ１が視認し難くなることを防止できる。
【００３６】
さらに、検知部としてのタッチセンサーが検知した操作体の接触位置に基づいて入力補助具２２の中心位置Ｔを検知するため、入力補助具２２の位置を検知するための検知器を個別に設けなくても済む。
【００３７】
（３）他の実施形態：
なお、本発明の技術的範囲は、上述した実施形態に限定されるものではなく、上述した実施形態を組み合わせることを含め、本発明の要旨を逸脱しない範囲内において種々変更を加え得ることは勿論である。むろん、本発明の表示装置がプリンター１以外の装置に組み込まれてもよい。
【００３８】
待機位置は必ずしもタッチパネルディスプレイ２１の右側に設けられなくてもよく、待機位置はタッチパネルディスプレイ２１の左側や上側や下側に設けられてもよい。また、入力補助具２２に形成された開口Ｏを介して操作体としての指等がタッチパネルディスプレイ２１に接触する以外の構成も採用可能である。例えば、入力補助具２２のタッチパネルディスプレイ２１側にキー表示ごとに操作体としての突起を設け、当該突起がタッチパネルディスプレイ２１側に押下できるように入力補助具２２が構成されてもよい。例えば、入力補助具２２にテンキー等のハードウェアキーを設け、当該ハードウェアキーのキートップを押下することにより、当該ハードウェアキーに対応する突起がタッチパネルディスプレイ２１側に接触するようにしてもよい。
【００３９】
制御部１１は、必ずしもキー表示部Ｕ１の位置を、検知した入力補助具２２の中心位置Ｔに非依存の位置としなくてもよい。例えば、制御部１１は、キー表示部Ｕ１の位置を、検知した入力補助具２２の中心位置Ｔに依存した位置としてもよく、中心位置Ｔに基づいて設定される操作検知領域Ｂと同一の位置としてもよい。
【００４０】
ここで、入力補助具２２にはタッチパネルディスプレイ２１に接触する位置検知機構が設けられ、検知部としての制御部１１は、タッチセンサーが検知した位置検知機構の接触位置に基づいて入力補助具２２の位置を検知してもよい。また、入力補助具２２は、テンキーの表示に対応したものでなくてもよく、複数のキー表示に対応したものでなくてもよい。例えば、十字キーの各方向のキーにそれぞれ対応したものであってもよく、単一のキー表示を操作するための部品であってもよい。さらに、入力補助具２２は、キー表示を押下するための部品でなくてもよく、キー表示を特定方向にフリックする操作をガイドするための部品であってもよい。
【００４１】
図５Ａは、他の実施形態にかかる入力補助具２２をタッチパネルディスプレイ２１に平行な方向から見た図である。同図に示すように、入力補助具２２には、タッチパネルディスプレイ２１に向けて突出する位置検知機構Ｐが設けられている。入力補助具２２がタッチパネルディスプレイ２１上にスライドすると、位置検知機構Ｐがタッチパネルディスプレイ２１に接触し、タッチセンサーが位置検知機構Ｐの接触位置を検知可能となる。この構成においても、タッチセンサーによって入力補助具２２の位置を検知できるため、入力補助具２２の位置を検知するための検知器を個別に設けなくても済む。
【００４２】
さらに、検知部としての制御部１１は、入力補助具２２の位置を検知する検知器の検出結果に基づいて入力補助具２２の位置を検知してもよい。すなわち、入力補助具２２の位置を必ずしもタッチセンサーによって検知しなくてもよく、タッチセンサー以外のセンサーによって検知してもよい。具体的に、検知器は、スライドする際に入力補助具２２が摺動するレール２３ａ，２３ｂに設けられていてもよい。例えば、発光した光が連結部２２ｂ１の上端によって遮光されるフォトインタラプタを、上方のレール２３ａの長さ方向の複数の位置に設けることにより検知器が構成されてもよい。例えば、もう一方の連結部２２ｂ２の上端を透明にすることにより、制御部１１は、連結部２２ｂ１の上端の位置を一意に検知できる。むろん、検知器は、連結部２２ｂ１の上端の接触によって電気的な状態が変化する素子であってもいし、連結部２２ｂ１の上端の接触によって機械的な状態が変化する素子であってもよい。むろん、検知器は、下方のレール２３ｂに備えられてもよい。
【００４３】
図５Ｂは、他の実施形態にかかる入力補助具２２を示す。同図に示すように、入力補助具１２２はタッチパネルディスプレイ２１に垂直な回転軸Ｑを中心に回転することにより、使用位置と待機位置との間をスライドすることが可能となっている。このように、入力補助具１２２を回転させることにより、入力補助具２２がタッチパネルディスプレイ２１に平行にスライドさせてもよい。また、入力補助具２２は、必ずしも待機位置にて板状となっていなくてもよく、例えば待機位置にて巻き取られて収納されてもよいし、折り畳まれて収納されてもよい。
【００４４】
さらに、ユーザーが入力補助具２２を容易に位置決めできる構成を設けてもよい。例えば、連結部２２ｂ１，２２ｂ２の上端にタッチパネルディスプレイ２１に垂直な方向に延びようとする弾性部材を備えさせ、当該弾性部材が圧縮された状態でレール２３ａに連結部２２ｂ１，２２ｂ２の上端が挿入されてもよい。そして、レール２３ａの一部に当該弾性部材の復元を許容する凹部を設けることにより、当該凹部に連結部２２ｂ１，２２ｂ２の上端が位置する状態で、入力補助具２２を位置決めでできる。入力補助具２２が少なくとも使用位置に位置するように凹部を形成すればよい。むろん、下方のレール２３ａにて下方の連結部２２ｂ３，２２ｂ４を位置決めしてもよい。
【００４５】
また、待機位置の入力補助具２２を隠すようなカバーを設けてもよい。
タッチパネルは、抵抗膜方式、表面弾性波方式等の様々な方式を採用可能である。静電容量方式や赤外線方式のように、実際に指等の指示具が画面に接触しなくても画面近傍にきたことでそれをタッチしたものと判断するような方式であってもよい。
また、表示装置は、プリンターに限られるものではなく、スキャナーや携帯電話やＡＴＭ機（現金自動預け払い機）などの様々な装置であってもよい。
【符号の説明】
【００４６】
１…プリンター、１０…本体筐体、１１…制御部、１２…搬送部、１３…印刷部、２０…操作部、２１…タッチパネルディスプレイ、２２…入力補助具、２２ａ…格子部、２２ｂ１〜２２ｂ４…連結部、２３ａ，２３ｂ…レール、３０…給紙トレイ、４０…排紙トレイ、Ｂ…操作検知領域、Ｂ１…キー領域、Ｃ１，Ｃ２…中心位置、Ｏ…開口、Ｐ…位置検知機構、Ｑ…回転軸、Ｒａ，Ｒｂ…溝、Ｔ…中心位置、Ｕ…印刷条件設定表示、Ｕ１…キー表示部、Ｕ２…設定項目表示部、Ｕ２ａ，Ｕ２ｂ…通知部、Ｕ２ｃ…項目部、Ｕ２ｃ１…名称部、Ｕ２ｃ２…内容部、Ｕ２ｄ…印刷開始ボタン、Ｙ…有効領域。
【図１】
0006531437.tif 000002
【図２】
0006531437.tif 000003
【図３】
0006531437.tif 000004
【図４】
0006531437.tif 000005
【図５】
0006531437.tif 000006